(57)【要約】【課題】コンパクトに保管することができるとともに、確実に、トレー内の残液を除水することができる構成を具備するトレーを提供する。【解決手段】内視鏡１０が載置される底面部１２と、底面部１２に対し、平面視した状態で重畳する第１の位置と、底面部１２の平面方向Ｍにおいて、少なくとも一部が底面部１２の外周１２ｙから離間する第２の位置とに可動自在であるとともに、第２の位置において内視鏡１０が載置される可動部材１４と、可動部材１４から、高さ方向Ｈに起立する壁面部１３と、を具備し、可動部材１４は、内視鏡１０を非収容の際、第１の位置まで可動され底面部１２の外周１２ｙに対し壁面部１３を当接させ、内視鏡１０を収容する際、第２の位置まで可動され、平面視した状態において、第１の位置よりも内視鏡１０の収容面積を大きくすることを特徴とする。【選択図】図２
2009131328.tif 000002
【特許請求の範囲】
【請求項１】
被洗浄消毒物が収容されるトレーであって、
前記被洗浄消毒物が載置される底面部と、
前記底面部に対し、平面視した状態で重畳する第１の位置と、前記底面部の平面方向において、少なくとも一部が前記底面部の外周から離間する第２の位置とに可動自在であるとともに、前記第２の位置において前記被洗浄消毒物が載置される可動部材と、
前記可動部材から、前記平面方向に垂直な高さ方向に起立する壁面部と、
を具備し、
前記可動部材は、前記被洗浄消毒物を非収容の際、前記第１の位置まで可動され前記底面部の外周に対し前記壁面部を当接させ、前記被洗浄消毒物を収容する際、前記第２の位置まで可動され、平面視した状態において、前記第１の位置よりも前記被洗浄消毒物の収容面積を大きくすることを特徴とするトレー。
【請求項２】
前記第２の位置は、前記壁面部が前記底面部の前記外周に最も近接する位置から、前記壁面部が前記可動部材によって前記底面部の前記外周より前記平面方向に最も離間する位置までにおける可動領域内に位置しており
前記可動部材を、前記第１の位置または前記可動領域における任意の前記第２の位置に固定する固定部材をさらに具備していることを特徴とする請求項１に記載のトレー。
【請求項３】
前記可動部材が前記第２の位置まで移動した際、前記底面部に液体の排出空間が形成されることを特徴とする請求項２に記載のトレー。
【請求項４】
前記底面部及び前記可動部材には、複数の貫通孔が形成されており、
前記第１の位置において、前記底面部の前記貫通孔と前記可動部材の前記貫通孔とが、平面視した状態でずれるよう位置させるとともに、前記第２の位置において、前記底面部の前記貫通孔と前記可動部材の前記貫通孔とが、平面視した状態で重畳するよう位置させて前記排出空間を形成する位置決め部材をさらに具備していることを特徴とする請求項３に記載のトレー。
【請求項５】
前記壁面部を前記高さ方向に可動させる第２の可動部材をさらに具備していることを特徴とする請求項１〜４のいずれか１項に記載のトレー。
【請求項６】
請求項１〜５のいずれか１項に記載のトレーが洗浄消毒槽に収容自在であるとともに、前記トレーに収容された前記被洗浄消毒物を洗浄消毒する内視鏡洗浄消毒装置であって、
前記可動部材が前記第２の位置に可動された状態で、前記トレーは、前記洗浄消毒槽に収容されることを特徴とする内視鏡洗浄消毒装置。
【発明の詳細な説明】
【技術分野】
【０００１】
本発明は、被洗浄消毒物が収容されるトレー、内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、処置具挿通管路等の内視鏡管路内も洗浄消毒される。また、洗浄消毒装置は、内視鏡に限らず、他の医療器具も洗浄消毒することができる。以下、洗浄消毒装置によって洗浄消毒されるものを被洗浄消毒物と称す。
【０００５】
ところで、洗浄消毒装置を用いて、被洗浄消毒物、例えば内視鏡を洗浄消毒する際、内視鏡を専用のトレーに収容した後、トレーを洗浄消毒槽に収容することにより、内視鏡を洗浄消毒槽に収容する手法が周知である。
【０００６】
即ち、内視鏡を、洗浄消毒槽内において、トレーに収容したままでトレーとともに洗浄消毒する手法が周知である。このようにトレーを用いれば、作業者は、トレーを把持するのみで、洗浄消毒工程の前後において、洗浄消毒槽に対する細長な内視鏡の搬入性及び搬出性が向上する。また、蒸気滅菌装置に対する細長な滅菌物の搬入性及び搬出性を向上させるトレーも周知である。
【０００７】
このように、装置に対する搬入性及び搬出性を向上させるトレーは、例えば特許文献１に開示されている。
【特許文献１】特開２００７−５４３４３号公報
【発明の開示】
【発明が解決しようとする課題】
【０００８】
ここで、トレー内に収容された被洗浄消毒物に対して洗浄消毒処理をするため、トレーの底部には、該トレー内に洗浄液、消毒液、濯ぎ水等の液体を導入するとともに、トレー内の液体の排出を促進するための孔部が形成されているのが一般的である。
【０００９】
しかしながら、孔部が形成されていたとしても、トレー内には被洗浄消毒物が収容されているため、洗浄消毒工程終了後、トレー内における被洗浄消毒物との接触部位に、濯ぎ水の残液が残留しやすくなってしまうといった問題がある。これは、蒸気滅菌装置を用いた滅菌処理工程後であっても同様である。
【００１０】
よって、洗浄消毒工程や滅菌処理終了後、トレーを槽から取り出すと、孔部を介してトレーから残液が装置外に垂れてしまう場合があり、改善が望まれていた。
【００１１】
このような事情に鑑み、上述した特許文献１では、トレーに該トレーを傾ける足部が形成されており、該足部を用いてトレーを傾けることにより、孔部からのトレーの水捌けを向上させる手法が開示されているが、このような手法を用いても、トレーに溜まった残液を確実にトレーから排出することは難しいといった問題がある。
【００１２】
また、洗浄消毒工程や滅菌処理工程終了後は、トレーを洗浄消毒槽から取り出した後、トレーから被洗浄消毒物が取り出され、トレーは、平積みされて保管されるのが一般的であるが、このような保管方法では、積み重ねられるトレーの数が制限されてしまうといった問題がある。よって、最大に積み重ねた後は、トレーをまた別の場所で積み重ねる必要があり、トレーの保管スペースが大きくなってしまうといった問題があった。
【００１３】
このような問題に鑑み、上述した特許文献１には、高さ方向に収縮自在なことにより、高さ方向においてコンパクトに収納することができるトレーが開示されているが、該トレーは、高さ方向へ収縮することはできるが、平面視した状態におけるトレーの外形は一定であることから、トレーの外形に沿った保管スペースは最低限必要なため、コンパクトにトレーを保管することは、矢張り難しいといった問題があった。
【００１４】
本発明の目的は、上記問題点に鑑みてなされたものであり、コンパクトに保管することができるとともに、確実に、トレー内の残液を除水することができる構成を具備するトレー、内視鏡洗浄消毒装置を提供することにある。
【課題を解決するための手段】
【００１５】
上記目的を達成するため本発明によるトレーは、被洗浄消毒物が収容されるトレーであって、前記被洗浄消毒物が載置される底面部と、前記底面部に対し、平面視した状態で重畳する第１の位置と、前記底面部の平面方向において、少なくとも一部が前記底面部の外周から離間する第２の位置とに可動自在であるとともに、前記第２の位置において前記被洗浄消毒物が載置される可動部材と、前記可動部材から、前記平面方向に垂直な高さ方向に起立する壁面部と、を具備し、前記可動部材は、前記被洗浄消毒物を非収容の際、前記第１の位置まで可動され前記底面部の外周に対し前記壁面部を当接させ、前記被洗浄消毒物を収容する際、前記第２の位置まで可動され、平面視した状態において、前記第１の位置よりも前記被洗浄消毒物の収容面積を大きくすることを特徴とする。
【００１６】
また、本発明による内視鏡洗浄消毒装置は、請求項１〜４のいずれか１項に記載のトレーが洗浄消毒槽に収容自在であるとともに、前記トレーに収容された前記被洗浄消毒物を洗浄消毒する内視鏡洗浄消毒装置であって、前記可動部材が前記第２の位置に可動された状態で、前記トレーは、前記洗浄消毒槽に収容されることを特徴とする。
【発明の効果】
【００１７】
本発明によれば、コンパクトに保管することができるとともに、確実に、トレー内の残液を除水することができる構成を具備するトレー、内視鏡洗浄消毒装置を提供することができる。
【発明を実施するための最良の形態】
【００１８】
以下、図面を参照して本発明の実施の形態を説明する。尚、以下に示す実施の形態においては、トレーに収容される被洗浄消毒物は、内視鏡を例に挙げて説明する。また、トレーは、洗浄消毒装置に用いるものとして説明する。
【００１９】
（第１実施の形態）
図１は、本実施の形態のトレーを具備する洗浄消毒装置を示す斜視図である。  
図１に示すように、洗浄消毒装置１は、装置本体２と、この装置本体２の上面に開閉自在なことにより、装置本体２が具備する洗浄消毒槽６の内視鏡１０の収容口６ｓを開閉自在な蓋体であるトップカバー３とにより主要部が構成されている。
【００２０】
装置本体２の外表面には、スタート指示、ストップ指示、各種工程表示、経過時間表示、洗浄消毒工程の設定、ユーザＩＤの設定等の各種操作を行える操作パネル４が配設されている。尚、操作パネル４は、トップカバー３に設けられていても構わない。
【００２１】
また、装置本体２の操作パネル４が設けられた外表面には、操作者によって非接触で近づけられたＩＤカード２０内のユーザＩＤの情報を受信するアンテナ７が設けられている。尚、アンテナ７も、装置本体２の他の外表面の部位に設けられていても構わないし、トップカバー３に設けられていても構わない。
【００２２】
装置本体２の上部に、水道栓から延出されたホースが接続される図示しない給水口が設けられている。このことにより、洗浄消毒槽６には、濯ぎ水として利用される他、洗浄液及び消毒液を希釈するための水道水が、ホース及び給水口を介して水道栓から供給されるようになっている。
【００２３】
装置本体２の上面部には、被洗浄消毒物である挿入部１０ｓ及び操作部１０ｔを具備する内視鏡１０が収容されたトレー１１が収容される洗浄消毒槽６が形成されている。トレー１１は、洗浄消毒槽６に対する内視鏡１０の搬入搬出性を高めるとともに、洗浄消毒槽６に内視鏡１０を収容した際、内視鏡１０が、洗浄消毒槽６に直接接触することを防ぐものである。また、トレー１１は、内視鏡１０を洗浄消毒する際、洗浄消毒槽６内において、内視鏡１０とともに洗浄消毒される。尚、トレー１１の詳しい構成については、後述する。
【００２４】
また、洗浄消毒槽６に、該洗浄消毒槽６内に、洗浄液、消毒液、濯ぎ水等の液体を供給する用の供給ノズル９が設けられている。供給ノズル９から、洗浄消毒槽６内に、水流を伴った液体が供給されることにより、洗浄消毒槽６内に収容された内視鏡１０の外表面は洗浄消毒される。
【００２５】
さらに、洗浄消毒槽６に、該洗浄消毒槽６に載置された内視鏡１０の内部に具備された図示しない処置具挿通用管路や送気送水用管路等の各種内視鏡管路内を洗浄消毒するため、上述した液体を、内視鏡管路内に供給する図示しない液体供給部材や、処置具挿通用管路内を擦り洗いするため、処置具挿通用管路内に洗浄用ブラシを自動的に挿抜する図示しないブラシカセット等が設けられている。
【００２６】
また、装置本体２において、洗浄消毒槽６の底部近傍に、アンテナ５が設けられている。アンテナ５は、洗浄消毒槽６に、トレー１１が収容された際、内視鏡１０、トレー１１毎に設けられた図示しないＩＤタグから、被洗浄消毒物固有の識別情報を非接触で読み取るものである。
【００２７】
さらに、装置本体２内に、洗浄消毒槽６に対し液体等を循環させる、電磁弁、逆止弁等が介装された管路網、ポンプ、及びコンプレッサ（いずれも図示されず）等が配設されている。また、装置本体２内には、上述した電磁弁、ポンプ、コンプレッサ等の電気部品を上記各種工程のプログラミングに従って駆動停止させる制御部１００も配設されている。尚、液体は、装置本体２に配設された図示しない各種タンク内に貯留されている。尚、その他の洗浄消毒装置１の構成は、周知であるため、その説明は省略する。
【００２８】
次に、トレー１１の構成について、図２〜図５を用いて説明する。図２は、図１のトレーを示す拡大斜視図、図３は、図２中のIII-III線に沿うトレーの断面図、図４は、図２の可動部材の固定機構を示す部分斜視図、図５は、図２の可動部材が、第１の位置から第２の位置までの間において可動自在な状態を概略的に示す平面図である。
【００２９】
図２に示すように、トレー１１は、底面部１２と可動部材１４と壁面部１３とにより主要部が構成されている。
【００３０】
底面部１２は、平面視した状態で、略四角状に形成されており、洗浄消毒される内視鏡１０が載置される部位となっている。底面部１２の外周１２ｙの各辺には、底面部１２の平面方向Ｍに沿って、外周１２ｙから底面部１２の中心方向に、例えば２本ずつ第１のガイド溝１５が形成されている。即ち、第１のガイド溝１５は、底面部１２の外周１２ｙにおいて開口している。
【００３１】
底面部１２の第１のガイド溝１５によって形成された側面１２ｓに、図３に示すように、第１のガイド溝１５に沿った平面方向Ｍに垂直な高さ方向Ｈの断面がコの字状の第２のガイド溝１２ｈが、平面方向Ｍに沿って形成されている。
【００３２】
可動部材１４は、後述する第２の位置Ｐ２において洗浄消毒される内視鏡１０が載置される部位となっており、平面方向Ｍにおいて、第１のガイド溝１５と同じ長さに形成されており、図３に示すように、腕部１４ｔが第２のガイド溝１２ｈに嵌入されていることにより、図５に示すように、第１のガイド溝１５に対し、平面方向Ｍにスライド可動自在に嵌入されている。
【００３３】
具体的には、可動部材１４は、図５に示すように、第１のガイド溝１５も含めた底面部１２に対し平面視した状態で重畳する位置、即ち、可動部材１４の平面方向Ｍの先端１４ｓが、第１のガイド溝１５によって形成された底面部１２の端面１２ｇに当接する位置、言い換えれば、壁面部１３が外周１２ｙに当接する位置である第１の位置Ｐ１と、平面方向Ｍにおいて、可動部材１４の少なくとも一部が、外周１２ｙから平面方向Ｍにおいて、後端１４ｖ側に離間する第２の位置Ｐ２との間において、第１のガイド溝１５に平面方向Ｍにスライド可動自在に嵌入されている。
【００３４】
尚、第２の位置Ｐ２は、図５に示すように、壁面部１３が、外周１２ｙに最も近接する位置から、外周１２ｙから平面方向Ｍに最も離間する位置までにおける可動領域Ｒ内の任意の位置に設定可能である。
【００３５】
図４に示すように、可動部材１４の腕部１４ｔの高さ方向Ｈの上面１４ｊに、固定部材を構成する、例えば断面三角状の複数の突起部２５が平面方向Ｍに沿って連続的に形成されており、底面部１２の第２のガイド溝１２ｈが形成された部位１２ｍにおける上面１２ｋに、固定部材を構成する、例えば断面三角状の突起２６ｔを具備する爪部２６が形成されている。
【００３６】
爪部２６は、突起２６ｔが、可動部材１４の腕部１４ｔの複数の突起部２５によって形成された複数の谷部のいずれかに嵌合自在なことにより、平面方向Ｍにおいて、スライド可動自在な可動部材１４を、第１の位置Ｐ１または可動領域Ｒにおける任意の第２の位置Ｐ２に固定することができるようになっている。
【００３７】
また、突起２６ｔと複数の突起部２５の谷部との嵌合は、図４に示すように、作業者が、部位１２ｍにおける解除領域１２ｍｋを押圧して、可動部材１４を平面方向Ｍにスライドさせることにより、解除自在となっている。よって、作業者は、可動部１４の平面方向Ｍへのスライド移動をやめ、解除領域１２ｍｋの押圧をやめれば、突起２６ｔと突起部２５の谷部とが嵌合し、可動部１４は固定されるようになっている。
【００３８】
壁面部１３は、図２、図５に示すように、可動部材１４の平面方向Ｍの後端１４ｖから高さ方向Ｈに起立して設けられている。壁面部１３は、トレー１１に収容された内視鏡１０が、トレー１１から落ちてしまうのを防止する部材である。
【００３９】
次に、このように構成された本実施の形態の作用について説明する。  
先ず、使用後の内視鏡１０を洗浄消毒する際は、作業者は、トレー１１を、平面視した状態で最も内視鏡１０の収容面積が大きくなるよう変形させる。具体的には、解除領域１２ｍｋを押圧して、全ての可動部材１４を、平面方向Ｍにおいて、第１のガイド溝１５内を、壁面部１３が外周１２ｙから平面方向Ｍに最も離間する第２の位置Ｐ２までスライド可動させる。
【００４０】
その後、作業者は、解除領域１２ｍｋの押圧をやめ、腕部１４ｔに形成された複数の突起部２５の谷部に、爪部２６の突起２６ｔを嵌合させることにより、可動部材１４を壁面部１３が外周１２ｙから平面方向Ｍに最も離間する第２の位置Ｐ２に固定する。
【００４１】
その結果、トレー１１は、平面視した状態で、可動部材１４が第１の位置Ｐ１に位置していた場合よりも内視鏡１０の収容面積が大きくなり、最も内視鏡１０の収容面積が大きくなる。
【００４２】
また、この際、可動部材１４が、壁面部１３が外周１２ｙから平面方向Ｍに最も離間する第２の位置Ｐ２まで移動したことにより、可動部材１４の先端１４ｓと底面部１２の端面１２ｇとの間には、第１のガイド溝１５による大きな空間が形成されている。
【００４３】
トレー１１を、平面視した状態で最も内視鏡１０の収容面積が大きくなるよう変形させた後、作業者は、トレー１１の底面部１２及び可動部材１４上に、内視鏡１０を載置する。即ち、トレー１１に内視鏡１０を収容する。
【００４４】
次いで、作業者は、トレー１１を、装置本体２の洗浄消毒槽６に収容し、装置本体２に対し、トップカバー３を閉成した後、操作パネル４を操作して、洗浄消毒装置１を用いた内視鏡１０の洗浄消毒を行う。
【００４５】
内視鏡１０の洗浄消毒終了後、作業者は、洗浄消毒槽６からトレー１１を取り出す。この際、トレー１１内の残液は、トレー１１に形成された第１のガイド溝１５による排出空間から洗浄消毒槽６内に排出されていることから、洗浄消毒槽６からトレー１１を取り出したとしても、残液がトレー１１から漏れてしまうことがない。
【００４６】
その後、トレー１１から内視鏡１０を取り出した後、トレー１１を保管するため、作業者は、トレー１１を、平面視した状態で最も内視鏡１０の収容面積が小さくなるよう変形させる。
【００４７】
具体的には、作業者は、解除領域１２ｍｋを押圧して、第２の位置Ｐ２における突起２６ｔと複数の突起部２５の谷部との嵌合を、可動部材１４を平面方向Ｍの先端１４ｓ側にスライドさせることにより解除して、可動部材１４を、壁面部１３が外周１２ｙに当接する第１の位置Ｐ１までスライド可動させる。
【００４８】
可動部材１４を、第１の位置Ｐ１までスライド可動させた後、作業者は、解除領域１２ｍｋの押圧をやめ、第１の位置Ｐ１において突起２６ｔと複数の突起部２５の谷部とを嵌合させて、可動部材１４を第１の位置Ｐ１に固定する。この状態において、トレー１１の外形は、平面視した状態で、底面部１２の外形と等しくなる。
【００４９】
最後に、作業者は、可動部材１４を第１の位置Ｐ１に固定した状態で、トレー１１を、保管場所に収容する。
【００５０】
このように、本実施の形態においては、内視鏡１０を収容して内視鏡１０を洗浄消毒する場合には、トレー１１の可動部材１４を、壁面部１３が外周１２ｙから最も離間する第２の位置Ｐ２まで移動させて、トレー１１の内視鏡１０の収容面積を、平面視した状態で最も大きくするとし、内視鏡１０を取り出してトレー１１を保管する場合には、トレー１１の可動部材１４を第１の位置Ｐ１まで移動させて、トレー１１の内視鏡１０の収容面積を、平面視した状態で最も小さくすると示した。
【００５１】
このことによれば、洗浄消毒終了後、トレー１１内の残液は、トレー１１において、可動部材１４を壁面部１３が外周１２ｙから最も離間する第２の位置Ｐ２に固定したことに起因して形成された第１のガイド溝１５による大きな排出空間から確実に洗浄消毒槽６に排出することができるため、洗浄消毒終了後、トレー１１を洗浄消毒槽６から取り出しても、トレー１１内の残液が垂れてしまうことが防止される。
【００５２】
また、トレー１１を使用しない際は、可動部材１４を第１の位置Ｐ１に固定することにより、トレー１１の内視鏡１０の収容面積を最も小さくすることができることから、即ち、平面視した状態でトレー１１の外形を最も小さくすることができることから、コンパクトにトレー１１を保管することができる。
【００５３】
以上から、コンパクトに保管することができるとともに、確実に、トレー１１内の残液を除水することができる構成を具備するトレー１１、洗浄消毒装置１を提供することができる。
【００５４】
尚、以下、変形例を示す。本実施の形態においては、可動部材１４を、壁面部１３が、外周１２ｙから最も離間する第２の位置Ｐ２に固定して、内視鏡１０の収容面積を最も大きくした後、洗浄消毒槽６にトレー１１を収容すると示した。
【００５５】
これに限らず、可動部材１４を、壁面部１３が外周１２ｙから最も離間する位置以外の可動領域Ｒ内の任意の第２の位置Ｐ２まで可動させて位置を固定した後、洗浄消毒槽６内にトレー１１を収容しても構わない。
【００５６】
尚、壁面部１３が外周１２ｙから最も離間する位置以外の可動領域Ｒ内の任意の第２の位置Ｐ２に可動部材１４の位置を固定する場合であっても、突起２６ｔと複数の突起部２５の谷部とを嵌合させることにより、可動部材１４の位置固定を行うことができる。
【００５７】
即ち、壁面部１３が外周１２ｙから最も離間する位置以外の第２の位置Ｐ２に可動部材１４を固定すると、本実施の形態よりも第１のガイド溝１５による排出空間が小さくなることから除水効果は小さくなるといった欠点はあるが、必ずしも内視鏡１０の収容面積を最大にして、洗浄消毒槽６にトレー１１を収容する必要はない。
【００５８】
また、以下、図６、図７を用いて別の変形例を示す。図６は、ピンを用いて可動部材の位置固定を行う変形例を示す部分斜視図、図７は、ねじを用いて可動部材の位置固定を行う変形例を示す部分斜視図である。
【００５９】
本実施の形態においては、可動部材１４を第１の位置Ｐ１または第２の位置Ｐ２の任意の位置に固定する際、突起２６ｔと複数の突起部２５の谷部とを嵌合させることにより行うと示した。
【００６０】
これに限らず、図６に示すように、可動部材１４の腕部１４ｔに高さ方向Ｈに貫通する孔１４ａを形成するとともに、第２のガイド溝１２ｈが形成された腕部１４ｔに対向する底面部１２の部位にも高さ方向Ｈに貫通する孔１２ａを、平面方向Ｍに沿って第１のガイド溝１５の近傍に複数形成し、孔１２ａと孔１４ａとが平面視した状態で重畳する位置において、固定部材であるピン３０を、孔１２ａ、１４ａに対し、高さ方向Ｈに沿って、例えば下側から貫通させることにより、可動部材１４を、第１の位置Ｐ１または第２の位置Ｐ２の任意の位置に固定しても構わない。
【００６１】
尚、図６に示す構成では、底面部１２に対し、孔１２ａが形成された平面方向Ｍの位置のみでしか、可動部材１４の位置を固定することができないといった欠点がある。そこで、図７に示すように、第２のガイド溝１２ｈが形成された腕部１４ｔに対向する底面部１２の部位に高さ方向Ｈに貫通するネジ孔１２ｎを設け、該ネジ孔１２ｎに固定部材であるネジ３５を高さ方向Ｈに沿って螺合させて、ネジ３５の先端３５ｓを、腕部１４ｔの外周面に押しつけることにより、可動部材１４を、第１の位置Ｐ１または第２の位置Ｐ２の任意の位置に固定しても構わない。このような構成によれば、可動部材１４を任意の位置で固定することができる。
【００６２】
（第２実施の形態）
図８は、本実施の形態のトレーを、可動部材が第１の位置まで可動された状態で示す斜視図、図９は、図８の可動部材が、第２の位置まで可動された状態で示すトレーの斜視図、図１０は、図８のトレーの一部を概略的に示す上面図、図１１は、図９のトレーの一部を概略的に示す上面図、図１２は、図１０をXIIの方向からみたトレーの一部を示す図である。
【００６３】
この第２実施の形態のトレーの構成は、上述した図１〜図５に示した第１実施の形態のトレーと比して、底面部及び可動部に複数の貫通孔が高さ方向に沿って形成されている点と、第２のガイド溝を不要とし、第１のガイド溝が、底面部の面内に形成されている点のみが異なる。よって、この相違点のみを説明し、第１実施の形態と同様の構成には同じ符号を付し、その説明は省略する。
【００６４】
図８に示すように、トレー５１は、底面部５２と可動部材５４と壁面部５３とにより主要部が構成されている。
【００６５】
図９に示すように、底面部５２は、平面視した状態で、略四角状に形成されており、洗浄消毒される内視鏡１０が載置される部位となっている。底面部５２の面内には、該底面部５２の外周５２ｙの辺毎に、平面方向Ｍに沿って、例えば１本ずつ第１のガイド溝５５が形成されている。
【００６６】
また、図１０、図１１に示すように、底面部５２に、例えば平面方向Ｍに沿って、即ち第１のガイド溝５５に沿って、高さ方向Ｈに貫通する複数の貫通孔５２ｋが形成されているとともに、可動部材５４の後述する第１の位置Ｐ１、第２の位置Ｐ２に相当する位置に可動部材５４を位置決めする位置決め部材である位置決め孔５７ａ〜５７ｄが形成されている。尚、位置決め孔５７ａ〜５７ｄは、固定部材も構成している。
【００６７】
可動部材５４は、第２の位置Ｐ２において洗浄消毒される内視鏡１０が載置される部位となっており、図１０、図１１に示すように、ガイド突起５９が第１のガイド溝５５に嵌入されていることにより、図８、図９に示すように、底面部５２の高さ方向Ｈの上面において、スライド可動自在となっている。
【００６８】
具体的には、可動部材５４は、図８、図１０に示すように、底面部５２に対し平面視した状態で重畳する、具体的には、壁面部５３が外周５２ｙに当接する第１の位置Ｐ１と、平面方向Ｍにおいて、少なくとも一部が、底面部５２の外周５２ｙから離間する第２の位置Ｐ２との間において、底面部５２の高さ方向Ｈの上面において、スライド可動自在となっている。
【００６９】
尚、第２の位置Ｐ２は、可動部材５４の平面方向Ｍの先端５４ｓが、第１のガイド溝５５の端面５５ｇに最も近接する位置から、端面５５ｇから平面方向Ｍに最も離間する位置までにおける可動領域Ｒ内の位置に設定可能である。言い換えれば、壁面部５３が外周５２ｙに最も近接する位置から、外周５２ｙから最も離間する位置までにおける可動領域Ｒ内の位置に設定可能である。
【００７０】
また、図１０、図１１に示すように、可動部材５４にも、例えば平面方向Ｍに沿って、高さ方向Ｈに貫通する複数の貫通孔５４ｋが形成されている。貫通孔５４ｋは、第１の位置Ｐ１において、図１０に示すように、底面部５２の貫通孔５２ｋと、平面視した状態で重ならない位置に形成されている。即ち、先端５４ｓと第１のガイド溝５５の端面５５ｇと一致させた際、貫通孔５４ｋは、貫通孔５２ｋに対し、平面方向Ｍに位相がずれるよう形成されている。
【００７１】
また、可動部材５４の高さ方向Ｈの底面に、図１０、図１１に示すように、底面部５２の位置決め孔５７ａ〜５７ｄに嵌入自在な位置決め部材である爪部５６が形成されている。尚、爪部５６は、固定部材も構成している。
【００７２】
爪部５６が位置決め孔５７ａに、図１０、図１２に示すように嵌入することにより、可動部材５４は、第１の位置Ｐ１において、貫通孔５２ｋと貫通孔５４ｋとが平面視した状態でずれるように位置が固定される。また、爪部５６が位置決め孔５７ｂ〜５７ｄに、図１１に示すように嵌入することにより、第２の位置Ｐ２において、貫通孔５２ｋと貫通孔５４ｋとが平面視した状態で重畳するように位置が固定される。
【００７３】
尚、爪部５６の位置決め孔５７への嵌入は、作業者が、爪部５６における解除領域５６ｍを押圧して、可動部材５４を平面方向Ｍにスライドさせることにより、解除可能となっている。よって、作業者は、可動部材５４を平面方向Ｍへスライド移動させた後、爪部５６が位置決め孔５７ｂ〜５７ｄのいずれかと重なる位置において解除領域５６ｍの押圧をやめれば、爪部５６が位置決め孔５７ｂ〜５７ｄのいずれかと嵌合し、可動部材５４は固定されるようになっている。
【００７４】
壁面部５３は、図８、図９に示すように、可動部材５４の平面方向Ｍの後端５４ｖから高さ方向Ｈに起立して設けられている。壁面部５３は、トレー５１に収容された内視鏡１０が、トレー５１から落ちてしまうのを防止する部材である。
【００７５】
次に、このように構成された本実施の形態の作用について説明する。  
先ず、使用後の内視鏡１０を洗浄消毒する際は、作業者は、トレー５１を、平面視した状態で最も内視鏡１０の収容面積が大きくなるよう変形させる。具体的には、解除領域５６ｍを押圧して、全ての可動部材５４を、平面方向Ｍにおいて、壁面部５３が外周５２ｙから最も離間する第２の位置Ｐ２までスライド可動させる。その後、図１１に示すように、解除領域５６ｍの押圧をやめ、爪部５６を、位置決め孔５７ｄに嵌入させることにより、可動部材５４を壁面部５３が外周５２ｙから最も離間する第２の位置に固定する。
【００７６】
その結果、トレー５１は、平面視した状態で、可動部材５４が第１の位置Ｐ１に位置していた場合よりも内視鏡１０の収容面積が大きくなり、最も内視鏡１０の収容面積が大きくなる。また、この際、図１１に示すように、貫通孔５２ｋと貫通孔５４ｋとは、平面視した状態において重畳している。よって、この状態において、重畳した貫通孔５２は、排出空間として機能する。
【００７７】
トレー５１を、平面視した状態で最も内視鏡１０の収容面積が大きくなるよう変形させた後、作業者は、トレー５１の底面部５２及び可動部材５４上に、内視鏡１０を載置する。即ち、トレー５１に内視鏡１０を収容する。
【００７８】
その後、作業者は、トレー５１を、装置本体２の洗浄消毒槽６に収容し、装置本体２に対し、トップカバー３を閉成した後、操作パネル４を操作して、洗浄消毒装置１を用いた内視鏡１０の洗浄消毒を行う。
【００７９】
内視鏡１０の洗浄消毒終了後、作業者は、洗浄消毒槽６からトレー５１を取り出す。この際、トレー５１内の残液は、トレー５１において、平面視した状態で重畳している貫通孔５２ｋ及び貫通孔５４ｋから洗浄消毒槽６内に排出されていることから、洗浄消毒槽６からトレー５１を取り出したとしても、残液がトレー５１から漏れてしまうことがない。
【００８０】
次いで、トレー５１から内視鏡１０を取り出した後、トレー５１を保管するため、作業者は、トレー５１を、平面視した状態で最も内視鏡１０の収容面積が小さくなるよう変形させる。
【００８１】
具体的には、作業者は、第２の位置Ｐ２における位置決め孔５７ｄへの爪部５６の嵌入を、解除領域５６ｍを押圧して、可動部材５４を平面方向Ｍにおける先端５４ｓ側にスライドさせることにより解除して、可動部材５４を、壁面部５３が外周５２ｙに当接する第１の位置Ｐ１までスライド可動させる。
【００８２】
可動部材５４を、第１の位置Ｐ１までスライド可動させた後、作業者は、図１０に示すように、解除領域５６ｍの押圧をやめ、第１の位置Ｐ１において爪部５６を位置決め孔５７ａに嵌入させて、可動部材５４を第１の位置Ｐ１に固定する。
【００８３】
この状態において、トレー５１の外形は、図８に示すように、平面視した状態で、底面部５２の外形と等しくなる。また、第１の位置Ｐ１においては、貫通孔５２ｋと貫通孔５４ｋとは、平面視した状態でずれて位置する。このことにより、トレー５１内に残液があったとしても、トレー５１から、貫通孔５２ｋと貫通孔５４ｋとのいずれかを介してトレー５１外に残液が漏れてしまうことがない。
【００８４】
最後に、作業者は、可動部材５４を第１の位置Ｐ１に固定した状態で、トレー５１を、保管場所に収容する。
【００８５】
このように、本実施の形態においては、内視鏡１０を収容して内視鏡１０を洗浄消毒する場合には、トレー５１の可動部材５４を、壁面部５３が外周５２ｙから最も離間する第２の位置Ｐ２まで移動させて、トレー５１の内視鏡１０の収容面積を、平面視した状態で最も大きくするとし、内視鏡１０を取り出してトレー５１を保管する場合には、トレー５１の可動部材５４を第１の位置Ｐ１まで移動させて、トレー５１の内視鏡１０の収容面積を、平面視した状態で最も小さくすると示した。
【００８６】
また、本実施の形態においては、第２の位置Ｐ２においては、貫通孔５２ｋと貫通孔５４ｋとを平面視した状態で重畳させ、貫通孔５２ｋに排出空間を形成するとし、第１の位置Ｐ１においては、貫通孔５２ｋと貫通孔５４ｋとは平面視した状態でずれて位置すると示した。
【００８７】
このことによれば、洗浄消毒終了後、トレー５１内の残液は、トレー５１において、可動部材５４が第２の位置Ｐ２に位置することに起因して、平面視した状態で重畳する貫通孔５２ｋ及び貫通孔５４ｋから確実に洗浄消毒槽６に排出することができるため、洗浄消毒終了後、トレー５１を洗浄消毒槽６から取り出しても、トレー１１内の残液が垂れてしまうことが防止される。
【００８８】
また、トレー５１を使用しない際は、可動部材５４を第１の位置Ｐ１に固定することにより、トレー５１の内視鏡１０の収容面積を最も小さくすることができることから、コンパクトにトレー５１を保管することができる。
【００８９】
また、平面視した状態で貫通孔５２ｋと貫通孔５４ｋとはずれて位置することから、トレー５１を持ち運ぶ際またはトレー５１を保管している際、トレー５１内の残液がトレー５１から貫通孔５２ｋと貫通孔５４ｋとのいずれかを介して、トレー５１外に漏れてしまうことがない。
【００９０】
以上から、コンパクトに保管することができるとともに、確実に、トレー内の残液を除水することができる構成を具備するトレー５１、洗浄消毒装置１を提供することができる。
【００９１】
尚、以下、変形例を示す。本実施の形態においては、可動部材５４を、壁面部５３が外周５２ｙから最も離間する第２の位置Ｐ２に固定して、内視鏡１０の収容面積を最も大きくした後、洗浄消毒槽６にトレー５１を収容すると示したが、これに限らず、解除領域５６ｍを押圧して、可動部材５４を、壁面部５３が外周５２ｙから最も離間する位置以外の可動領域Ｒ内の任意の第２の位置Ｐ２まで可動させて位置を固定した後、即ち、解除領域５６ｍの押圧をやめ、爪部５６を、位置決め孔５７ｂ、５７ｃに嵌入させて位置を固定した後、洗浄消毒槽６内にトレー５１を収容しても構わない。即ち、必ずしも内視鏡１０の収容面積を最大にして、洗浄消毒槽６にトレー５１を収容する必要はない。
【００９２】
また、以下、図１３を用いて別の変形例を示す。図１３は、壁面部の高さを高さ方向に可動自在とした変形例を示す斜視図である。
【００９３】
上述した第１実施の形態及び第２の実施の形態においては、可動部材１４、５４が平面方向Ｍにおいて可動自在であると示したが、これに加え、図１３に示すように、壁面部６３が高さ方向Ｈに可動自在であっても構わない。
【００９４】
具体的には、図１３に示すように、壁面部６３は、内部に、高さ方向Ｈに沿った有底穴６３ｈを有しており、有底穴６３ｈ内には、第２の可動部材６４が有底穴６３ｈから高さ方向Ｈ上方に突出自在に設けられている。
【００９５】
尚、第２の可動部材６４の上端部６４ｊの有底穴６３ｈの底部からの高さ方向Ｈへの最大突出高さは、内視鏡１０の挿入部１０ｓの２倍の高さに略等しいか、挿入部１０ｓの２倍以上の高さに規定される。これは、トレー１１、５１内において、挿入部１０ｓは、巻回されるとともに、重畳して収容されることがあるためである。
【００９６】
また、第２の可動部材６４は、有底穴６３ｈから高さ方向Ｈにおいて突出した状態において、該突出高さが固定自在である。この固定は、例えば第２の可動部材６４の側面６４ｋに、上述した第１実施の形態において示した断面三角状の複数の突起部２５を設け、壁面部６３内の側面６４ｋに対向する側面に、上述した第１実施の形態において示した爪部２６を設け、爪部２６の突起２６ｔを複数の突起部２５の谷部に嵌合させることにより、実現することができる。
【００９７】
よって、このように構成された壁面部６３を有するトレーにおいては、内視鏡１０をトレーに収容する際は、第２の可動部材６４の上端部６４ｊが、有底穴６３ｈから高さ方向Ｈに突出した状態で、突起２６ｔと複数の突起部２５の谷部とを嵌合させ、第２の可動部材６４を突出させた状態で固定して用いるとともに、トレーを保管する際は、有底穴６３ｈ内に第２の可動部材６４を収容して、突起２６ｔと複数の突起部２５の谷部とを嵌合させ、第２の可動部材６４を有底穴６３ｈ内に収容した状態で固定して保管する。このことによれば、保管の際、上述した第１及び第２実施の形態に示したトレーよりも、壁面部６３の高さを低くして保管することができる。
【００９８】
以上、説明したように、このような構成によれば、壁面部６３の高さが、第２の可動部材６４によって、高さ方向Ｈに可動自在となることから、よりコンパクトにトレー１１、５１を保管することができる。
【００９９】
また、以下、図１４を用いて別の変形例を示す。図１４は、壁面部を傾倒自在とした変形例を示す斜視図である。
【０１００】
上述した第１実施の形態及び第２の実施の形態においては、可動部材１４、５４が平面方向Ｍにおいて可動自在であると示したが、これに加えて、図１４に示すように、壁面部７３が傾倒自在であっても構わない。
【０１０１】
このような構成によれば、トレー１１、５１内に内視鏡１０を収容する際には、壁面部７３を底面部７２に対して起立させて、従来と同じ壁面部として用い、トレー１１、５１を保管する際には、壁面部７３を倒して、底面部７２に壁面部７３を接触させることにより、壁面部７３をよりコンパクトに収容することが可能となる。
【０１０２】
尚、壁面部７３を底面部７２に対して起立させた状態において、壁面部７３を固定する構成としては、壁面部７３を樹脂から構成することにより、樹脂の弾性を用いて固定する他、いかなる構成であっても構わない。
【０１０３】
また、上述した第１実施の形態及び第２の実施の形態においては、トレー１１、５１に収容される被洗浄消毒物は、内視鏡１０を例に挙げて説明したが、内視鏡１０に限らず、内視鏡１０操作用のリモコンや、他の医療用処置具であっても構わないということは勿論である。
【０１０４】
さらに、上述した第１実施の形態及び第２の実施の形態においては、トレー１１、５１は、洗浄消毒装置１に用いるものとして説明したが、蒸気滅菌装置や、他の装置に用いても構わないということは云うまでもない。
【図面の簡単な説明】
【０１０５】
【図１】本実施の形態のトレーを具備する洗浄消毒装置を示す斜視図。
【図２】図１のトレーを示す拡大斜視図。
【図３】図２中のIII-III線に沿うトレーの断面図。
【図４】図２の可動部材の固定機構を示す部分斜視図。
【図５】図２の可動部材が、第１の位置から第２の位置までの間において可動自在な状態を概略的に示す平面図。
【図６】ピンを用いて可動部材の位置固定を行う変形例を示す部分斜視図。
【図７】ねじを用いて可動部材の位置固定を行う変形例を示す部分斜視図。
【図８】本実施の形態のトレーを、可動部材が第１の位置まで可動された状態で示す斜視図。
【図９】図８の可動部材が、第２の位置まで可動された状態で示すトレーの斜視図。
【図１０】図８のトレーの一部を概略的に示す上面図。
【図１１】図９のトレーの一部を概略的に示す上面図。
【図１２】図１０をXIIの方向からみたトレーの一部を示す図。
【図１３】壁面部の高さを高さ方向に可動自在とした変形例を示す斜視図。
【図１４】壁面部を傾倒自在とした変形例を示す斜視図。
【符号の説明】
【０１０６】
１…洗浄消毒装置（内視鏡洗浄消毒装置）
１０…内視鏡（被洗浄消毒物）
１１…トレー
１２…底面部
１３…壁面部
１２ｙ…外周
１４…可動部材
１５…第１のガイド溝（排出空間）
２５…突起部（固定部材）
２６…爪部（固定部材）
３０…ピン（固定部材）
３５…ネジ（固定部材）
５１…トレー
５２…底面部
５２ｋ…孔（貫通孔）（排出空間）
５２ｙ…外周
５３…壁面部
５４…可動部材
５４ｋ…孔（貫通孔）
５６…爪部（固定部材）
５７ａ…位置決め孔（固定部材）
５７ｂ…位置決め孔（固定部材）
５７ｃ…位置決め孔（固定部材）
５７ｄ…位置決め孔（固定部材）
６４…第２の可動部材
Ｈ…高さ方向
Ｍ…平面方向
Ｐ１…第１の位置
Ｐ２…第２の位置
Ｒ…可動領域
【図１】
2009131328.tif 000003
【図２】
2009131328.tif 000004
【図３】
2009131328.tif 000005
【図４】
2009131328.tif 000006
【図５】
2009131328.tif 000007
【図６】
2009131328.tif 000008
【図７】
2009131328.tif 000009
【図８】
2009131328.tif 000010
【図９】
2009131328.tif 000011
【図１０】
2009131328.tif 000012
【図１１】
2009131328.tif 000013
【図１２】
2009131328.tif 000014
【図１３】
2009131328.tif 000015
【図１４】
2009131328.tif 000016